(57)【要約】      （修正有）【課題】自然植物では存在し難い混成組合せの人工植物で、例えば広葉、針葉、花、花弁、茄子、キノコ等を用いた三次元混成組合せ構成による立体造花を創りだす。【解決手段】１．人工植物の広葉（１）の葉軸（３）に沿って縦中程迄を切開し、半広葉（２）の中心を上方から視て円周の３／４の範囲に連続に展開した半広葉（２）が相対する広葉（１）の中程に葉軸（３）と約直角に設ける。２．人工植物の湾曲した広葉（１）の両先端各々に針葉（８）、花（９）等の人工植物を保持する。３．人工植物の広葉（１）に対して葉身の中程に湾曲した広葉（１）を左右に設置し、該湾曲した広葉（１）の内に針葉（８）、花（９）、花弁（１０）、茄子（１１）等を両眼のように、又両眼の下に口孔（１４）を設ける。【選択図】図１
2007039859.tif 000002
【特許請求の範囲】
【請求項１】
人工植物の広葉（１）の葉軸（３）に沿って縦中程迄を切開し、半広葉（２）とし葉軸（３）の中心を上方から視て円周の約３／４範囲に連続展開した半広葉（２）が相対する広葉（１）の中程に葉軸（３）と約直角に設けてなる混成立体造花。（図１）
【請求項２】
人工植物の広葉（１）の葉軸（３）に沿って上下方向から中心附近で余肉を残して切開され半広葉（２）となった左右の半広葉（２）を中程か葉軸（３）に対して直角方向から視て十字形に切り曲げると共に該半広葉（２）を複数階段状広葉（５）としてなる混成立体造花。（図２）（図４）
【請求項３】
人工植物の広葉（１）の葉軸（３）に直角断面を三角山形状とし複数層積み重ねた多面広葉（６）（図５）（図６）及び広葉（１）の葉軸（３）の直角断面を＊形状とした多面広葉（６）の該断面空間に針葉（８）、花（９）、花弁（１０）等の人工植物を保持してなる混成立体造花。（図７）（図８）
【請求項４】
人工植物の広葉（１）の両端が湾曲した広葉（１）の先端各々に針葉（８）、花（９）茄子（１１）、トマト（１２）等の人工植物を保持してなる混成立体造花。（図９）
【請求項５】
人工植物の広葉（１）の葉軸（３）に沿って葉身（４）の半分位迄を切開し、適当な角度に折曲げられた半広葉（２）の面の端に約垂直角度で複数の花弁（１０）を設置する。（図１０）又、花弁（１０）の縦方向に半分位から分岐し折り曲げた花弁（１０）が保持された混成立体造花。（図１４）並びに折曲げた花弁（１０）が順列に複数階段状に設置してなる混成立体造花。（図１３）
【請求項６】
人工植物の広葉（１）をＤ−Ｄ矢視から視て広葉（１）の中程で葉軸（３）を基点としてＶ字形に展開切開した空間に花弁（１０）が設置してなる混成立体造花。（図１２）
【請求項７】
人工植物で人間の手の指状をした複数枚の広葉（１）の各間隙に針葉（８）、花（９）、花弁（１０）等の人工植物を設置してなる混成立体造花。（図１５）
【請求項８】
人工植物で花弁（１０）の分岐間にトマト（１２）、キノコ（１３）等が花弁（１０）の花弁中程の切れ目の表面に対して平行又は直角に設置してなる混成立体造花。（図１６）
【請求項９】
人工植物の広葉（１）、半広葉（２）の各々の葉軸（３）を基点として湾曲広葉（１５）が直角に設置され、該湾曲広葉（１５）内に針葉（８）、花（９）、花弁（１０）、茄子（１１）等の人工植物を両眼のように設置すると共に該両眼は前後直列にも複数設置され鉢葉の針（１６）を、疑似まっ毛としている。又動物の疑似目玉（１７）の下方に口孔（１４）を設け該口孔（１４）には差し替え口孔（１８）を着脱可能とした混成立体造花。（図１７）〜（図２７）同様に花弁（１０）に湾曲花弁（１９）が左右に設置され、湾曲花弁（１９）がが左右に設置され湾曲花弁（１９）内に花（９）両眼のように設置されてなる混成立体造花。（図２８）
【発明の詳細な説明】
【技術分野】
【０００１】本発明は人工植物で例えば広葉、針葉、花、花弁、茄子、キノコ、トマトを用いて三次元混成立体的に造花したものである。［背景技術］【０００２】従来、人工造花は多種にわたり市販されているが、人工植物を用いた混成立体造花は見当たらない。［発明の開示］［発明が解決しようとする課題］【０００３】自然植物では、存在し難い混成組合せの人工植物で例えば広葉、針葉、花、花弁、茄子、キノコ等を用いた三次元混成組合せ構成による立体造花を創りだすことこと。［課題を解決するための手段］【０００４】本発明は人工植物で、例えば広葉、針葉、花、花弁、茄子、キノコ等の各々を立体三次元に展開せしむると共に、相互に組合せ構造をなした混成立体造花を特長とする。【０００５】本発明は人工植物の広葉の葉軸に沿って葉身の中程迄を切開し中心を上から視て円周の約３／４範囲に連続展開した広葉が相対の広葉の葉身の中程に葉軸と約直角に設置してなる混成立体造花を特長とする。【０００６】本発明は人工植物の湾曲した広葉の両先端各々に針葉、花、花弁等が抱きかかられた混成立体造花を特長とする。【０００７】本発明は例えば人間の手の指状をした人工植物で複数の広葉間に花、花弁、針葉、茄子、キノコ等を広葉に対して平行又は垂直に設置してなる混成立体造花を特長とする。【０００８】本発明は混成人工植物広葉のに対して葉身の中程に湾曲した広葉を左右に各々置し、該、湾曲した広葉の内に花、花弁、花、針葉、キノコ等を動物の眼のように設置してなる混成立体造を特長とする。［発明の効果］【０００９】本発明は混成人工植物の立体造花なので、自然植物では得られない外観による興味を持つことが出来ると共に、生花を上回る多称性にとんだ新しい観賞価値と広告媒体要素、服飾、雑貨類のデザイン、新家紋を提供できる。［発明を実施するための最良の形態］【００１０】人工植物の広葉、針葉、花、花弁、茄子、キノコ、トマト等を各々部品として多種多用な造花として立体組み合わせると良い。［実施例１］【００１１】図１以下は外観図で本発明の１実施例である。図１〜３は、人工植物の広葉１の葉軸３の中心を上方から視て円周の３／４範囲に広葉１の縦半分迄広葉１の葉軸３に沿って中程迄切開された半広葉２が連続展開設置されている。又、広葉１の中程で葉軸３に対して直角方向から視て十字形に半広葉２が設置されている。［実施例２］【００１２】図５〜６は人工植物の広葉葉軸３の直角断面を三角山形状とする。多面広葉６を形成し図７〜８は葉軸３の直角断面を＊形状とした多面広葉６に針葉８、花９、花弁１０を保持棒７で保持設置されている。［実施例３］【００１３】図９は人工植物の両先端が湾曲した広葉１の先端各々に針葉８、花９が抱きかかえられ設置されている。［実施例４］【００１４】図１０は人工植物の広葉１、葉身４の縦半分迄広葉１の葉軸３に沿って切開されて中程に設けられた半広葉２は葉軸３対して約直角に折り曲げられた半広葉２の端に花弁１０が設置されている。［実施例５］【００１５】図１１は人工植物の半広葉２の葉軸３面に或る角度で花弁１０が複数枚順列で複層階段式に設置された該複層階段間の支保の役目として茄子１１が設置されている。［実施例６］【００１６】図１２は人工植物の広葉１をＤ−Ｄ矢視から視て広葉１の中程で葉軸３を基点としてＶ字形に展開切開した空間に花弁１０が設置されている。［実施例７］【００１７】図１３〜１４は人工植物の花弁１０の片端中程から分岐し或る角度で折り曲げられた花弁１０が単独又は複数階段式に設置されている。［実施例８］【００１８】図１５は人間の手の指状をした人工植物の広葉１の各間隙に針葉８、花９、花弁１０が、図１６は花弁１０の中間にトマト１２及びキノコ１３が花弁１０の表面に対して平行又は直角に設けられている。［実施例９］【００１９】図１７〜図１９は人工植物の半広葉２の葉軸３を中心に湾曲広葉１５が葉軸３に対して直角に設置され該、湾曲広葉１５内に複数の花９が保持棒７で保持されている。半広葉２と湾曲広葉１５との接点に口孔１４が湾曲広葉１５の端面に針葉の針１６（まっ毛）が埋め込まれている。又図２３〜図２５も図１７〜図２２と同じ部品構造を持っが花９を動物の擬似目玉１７に変えて設けている。［実施例１０］【００２０】図２０〜図２２は人工植物の広葉１に湾曲広葉１５が葉軸３に対して直角に設置され、該湾曲広葉１５内に針葉８対茄子１１、花９対キノコ１３を各々選択相対させ保持棒７で広葉１に保持されている。［実施例１１］【００２１】図２６は図１８のＥ矢視図である。［実施例１２］【００２２】図２７は既設の口孔１４に差替え可能な差替え口孔１８の正面図と右側面図である。［実施例１３］【００２３】図２８は人工植物の花弁１０に湾曲花弁１９が花弁１０に対して直角に設置され、該湾曲花弁１９内に複数の花９が保持棒７で保持されている。［産業上の利用可能性］【００２４】極く一般の造化製造技術で製造可能であり、造化以外の広告媒体要素、服飾雑貨類のデザイン、新家紋にも利用可能である。
【図面の簡単な説明】
【００２５】
【図１】広葉１と半広葉２枚が広葉１の葉軸３の中心を上方から視て円周の３／４位の範囲で、広葉１の葉軸３に沿って切開された広葉１の中程に連続展開されている説明図である。
【図２】広葉１の葉軸３に沿って上下方向から切開し半広葉２とすると共に半広葉２を各々相対直角に折り曲げられた説明図である。
【図３】相対直角に折り曲げられた各々の上下相対する半広葉２の葉軸３に沿って扇形の広葉１が設けられている説明図である。
【図４】広葉１の葉軸３に沿って葉身４の中程で切り曲げられた階段状広葉５を設置している説明図である。
【図５】広葉の葉断面を三角山形状にし、複数層積み重ねた多面広葉６の説説明図である。
【図６】図５のＡ−Ａ矢視図である。
【図７】広葉１を図８に示す如く＊の断面形状とし、該断面空間に針葉８、花９、花弁１０を保持棒７で保持した説明図である。
【図８】図７のＢ−Ｂ断面図である。
【図９】両先端が湾曲した広葉１の先端各々に針葉８、花８が抱きかかえられて設置されている説明図である。
【図１０】広葉１の縦半分迄切開され葉軸３に対して約直角に折り曲げられた半広葉２の端に花弁１０が設置されている説明図である。
【図１１】半広葉２の葉軸３に花弁１０が複層順列で複数階段状に設置されている説明図である。
【図１２】広葉１を上方から視て葉軸３を基点としてＶ字形に展開切開し花弁１０が設置されている説明図である。
【図１３】花弁１０の片端の中程から分岐し或る角度で折曲げられた花弁１０及び該花弁１０が階段状に設置されている説明図である。
【図１４】花弁１０の片端の中程から分岐し或る角度で折曲げられた花弁１０が設置されている説明図である。
【図１５】人間の手の指状をした広葉１の間隙に針葉８、花９、花弁１０が設置されている説明図である。
【図１６】花弁１０の中間にトマト１２及びキノコ１３が花弁１０の表面に対して平行又は直角に設置されている説明図である。
【図１７】図１８の上面図である。
【図１８】半広葉２の葉軸３を中心に湾曲広葉１５が葉軸３に対して直角に設置され、該、湾曲広葉１５内に複数の花９が保持棒７で保持されると共に半広葉２と湾曲広葉１５の接点に口孔１４が、針葉の針１６が疑似まっ毛として設けられている説明図である。
【図１９】図１８の右側図面である。
【図２０】図２１の上面図である。
【図２１】広葉１の葉軸３を中心に湾曲広葉１５が葉軸３に対して直角に設置され該、湾曲広葉１５内に針葉８対茄子１１、花９対キノコ１３が相対で保持棒７で保持されている説明図である。
【図２２】図２１の右側図面である。
【図２３】図２４の上面図である。
【図２４】図１７〜図２２と同じ部品、構造をもつが花９を動物の擬似目玉１７に変えて設けている説明図である。
【図２５】図２４の右側図面である。
【図２６】図１８のＥ矢視図である。
【図２７】差し替え口孔１８の正面図と右側面図である。
【図２８】花弁１０に湾曲花弁１９が花弁１０に対して左右直角に設置され該湾曲花弁１９内に花９が保持棒７で保持されている説明図である。
【符号の説明】
【００２６】１、広葉２、半広葉３、葉軸４、葉身５、段階状広葉６、多面広葉７、保持棒８、針葉９、花１０、花弁１１、茄子１２、トマト１３、キノコ１４、口孔１５．湾曲広葉１６、針葉の針１７、動物の擬似目玉１８、差替え口孔１９、湾曲花弁
【図１】
2007039859.tif 000003
【図２】
2007039859.tif 000004
【図３】
2007039859.tif 000005
【図４】
2007039859.tif 000006
【図５】
2007039859.tif 000007
【図６】
2007039859.tif 000008
【図７】
2007039859.tif 000009
【図８】
2007039859.tif 000010
【図９】
2007039859.tif 000011
【図１０】
2007039859.tif 000012
【図１１】
2007039859.tif 000013
【図１２】
2007039859.tif 000014
【図１３】
2007039859.tif 000015
【図１４】
2007039859.tif 000016
【図１５】
2007039859.tif 000017
【図１６】
2007039859.tif 000018
【図１７】
2007039859.tif 000019
【図１８】
2007039859.tif 000020
【図２０】
2007039859.tif 000021
【図２１】
2007039859.tif 000022
【図２２】
2007039859.tif 000023
【図２３】
2007039859.tif 000024
【図２４】
2007039859.tif 000025
【図２６】
2007039859.tif 000026
【図２８】
2007039859.tif 000027
【手続補正書】
【提出日】平成17年10月31日(2005.10.31)
【手続補正１】
【補正対象書類名】図面
【補正対象項目名】全図
【補正方法】変更
【補正の内容】
【図１】
2007039859.tif 000028
【図２】
2007039859.tif 000029
【図３】
2007039859.tif 000030
【図４】
2007039859.tif 000031
【図５】
2007039859.tif 000032
【図６】
2007039859.tif 000033
【図７】
2007039859.tif 000034
【図８】
2007039859.tif 000035
【図９】
2007039859.tif 000036
【図１０】
2007039859.tif 000037
【図１１】
2007039859.tif 000038
【図１２】
2007039859.tif 000039
【図１３】
2007039859.tif 000040
【図１４】
2007039859.tif 000041
【図１５】
2007039859.tif 000042
【図１６】
2007039859.tif 000043
【図１７】
2007039859.tif 000044
【図１８】
2007039859.tif 000045
【図１９】
2007039859.tif 000046
【図２０】
2007039859.tif 000047
【図２１】
2007039859.tif 000048
【図２２】
2007039859.tif 000049
【図２３】
2007039859.tif 000050
【図２４】
2007039859.tif 000051
【図２５】
2007039859.tif 000052
【図２６】
2007039859.tif 000053
【図２７】
2007039859.tif 000054
【図２８】
2007039859.tif 000055
【手続補正書】
【提出日】平成18年2月6日(2006.2.6)
【手続補正１】
【補正対象書類名】特許請求の範囲
【補正対象項目名】請求項２
【補正方法】変更
【補正の内容】
【請求項２】
人工植物の広葉（１）の葉軸（３）に沿って上又は下方向から中心附近で余肉を残して切開され半広葉（２）となった左右の半広葉（２）を中程から葉軸（３）に対して直角方向から視て十字形に曲げると共に該半広葉（２）を複数段階状に折曲げられた段階状広葉（５）としてなる混成立体造花（図２）（図４）
【手続補正２】
【補正対象書類名】特許請求の範囲
【補正対象項目名】請求項５
【補正方法】変更
【補正の内容】
【請求項５】
人工植物の広葉（１）の葉軸（３）に沿って葉身（４）の半分位迄を切開し、適当な角度に折り曲げた半広葉（２）の面の端に約垂直角度で複数花弁（１０）を設置する。（図１０）又、折り曲げた花弁（１０）が順列に複数階段状に設置してなる混成立体造花。（図１３）並びに花弁（１０）の縦方向に半分位から分岐し折り曲げた花弁（１０）が保持された混成立体造花。（図１４）
【手続補正３】
【補正対象書類名】特許請求の範囲
【補正対象項目名】請求項６
【補正方法】変更
【補正の内容】
【請求項６】
人工植物の広葉（１）をＤ−Ｄ矢視から視て広葉（１）の中程で葉軸（３）を基点としてＶ字形に展開切開した空間に花弁（１０）等の人工植物を設置してなる混成立体造花。（図１２）
【手続補正４】
【補正対象書類名】特許請求の範囲
【補正対象項目名】請求項９
【補正方法】変更
【補正の内容】
【請求項９】
人工植物の広葉（１）又は半広葉（２）、の各々の葉軸（３）の中程を基点として湾曲広葉（１５）が左右直角に設置され、該湾曲広葉（１５）内に針葉（８）、花（９）花弁（１０）、茄子（１１）等の人工植物を両眼のように設置すると共に該両眼には前後直列に針葉（８）対茄子（１１）、花（９）対キノコ（１３）等の人工植物の組合せを保持棒（７）で保持され針葉の針（１６）を、疑似まつ毛としている。
又、動物の疑似目玉（１７）の下方に口孔（１４）を設け該口孔（１４）には差し替え口孔（１８）、（図２７）を着脱可能とした混成立体造花。（図１７）〜（図２７）、同様に花弁（１０）に湾曲花弁（１９）が花弁（１０）の中程を基点として左右直角に設置され、該湾曲花弁（１９）内に花（９）を両眼のように保持棒（７）で保持されて設置してなる混成立体造花（図２８）。